(57)【要約】【課題】  耐久性、可撓性に優れ、磁気カードやＩＣカードに例示される所定の識別情報を磁気的電気的に記憶する識別カードから識別情報が読取られるのを防止することができる識別情報保護シート等を提供する。【解決手段】    金属層２によって磁気や電磁波が遮断され識別カードに記憶されている識別情報が不正に読み出されるのが防止される。金属層２は樹脂層３に鍍金されているので耐久性、可撓性が向上される。樹脂層３の幅広面のサイズは、識別カードを隠蔽可能なサイズに構成されているので、識別カードを隠蔽するように財布に収納することで財布に収納されている識別カードから識別情報が不正に読取られるのが防止される。【選択図】  図１
2006248060.tif 000002
【特許請求の範囲】
【請求項１】
磁気カードやＩＣカードに例示される所定の識別情報を磁気的電気的に記憶する識別カードから磁気や電磁波を媒介として前記識別情報が読取られるのを防止する識別情報保護シートにおいて、
可撓性を有するシート状に形成された樹脂製の樹脂層と、
その樹脂層に鍍金され磁気や電磁波を遮断する遮断性を有する金属層とを備え、
前記樹脂層の幅広面のサイズは前記識別カードを隠蔽可能なサイズに構成されていることを特徴とする識別情報保護シート。
【請求項２】
前記樹脂層の幅広面のサイズは紙幣によって被隠蔽可能なサイズに構成されていることを特徴とする請求項１に記載の識別情報保護シート。
【請求項３】
前記樹脂層の表面には所定の情報が印刷されていることを特徴とする請求項１又は２に記載の識別情報保護シート。
【請求項４】
前記金属層は前記樹脂層の幅広面の一方の面にシート状に鍍金されていることを特徴とする請求項１から３のいずれかに記載の識別情報保護シート。
【請求項５】
前記樹脂層は繊維状の樹脂を編んでシート状に構成されていることを特徴とする請求項１から４のいずれかに記載の識別情報保護シート。
【請求項６】
紙幣を出入れ可能に収納する袋状の紙幣収納部と、磁気カードやＩＣカードに例示される所定の識別情報を磁気的電気的に記憶する識別カードを出入れ可能に収納する袋状の識別カード収納部とを備えた財布において、
前記識別カード収納部を隠蔽可能な部位に鍍金され磁気や電磁波を遮断する遮断性を有する金属層を備えていることを特徴とする財布。
【請求項７】
前記紙幣収納部は、前記紙幣収納部に収納される紙幣の一方の面と対面する第一壁と他方の面と対面する第二壁とを備え、
前記識別カード収納部は、前記第一壁または前記第ニ壁を挟んで前記紙幣収納部と重複するように並列配置されており、
前記金属層は、前記第一壁と前記第二壁との少なくとも一方に鍍金されていることを特徴とする請求項６に記載の財布。
【請求項８】
前記紙幣収納部は長手方向の略中央部において前記第二壁を内側にして略二つ折り可能に構成されており、
前記識別カード収納部は前記第二壁を挟んで配設されており、前記金属層は前記第一壁に鍍金されていることを特徴とする請求項６又は７に記載の財布。
【請求項９】
前記金属層は繊維状の樹脂を編んでシート状に形成された可撓性を有する樹脂層に鍍金されていることを特徴とする請求項６から８のいずれかに記載の識別情報保護シート。
【請求項１０】
前記金属層は前記紙幣収納部に収納される紙幣との間に前記樹脂層を挟んだ部位に鍍金されていることを特徴とする請求項９に記載の財布。
【請求項１１】
磁気カードやＩＣカードに例示される所定の識別情報を磁気的電気的に記憶する識別カードの一方の面と対面する第三壁と他方の面と対面する第四壁とを袋状に形成し、前記識別カードを出し入れ可能に収納する識別カード収納ケースにおいて、
前記第三壁と前記第四壁との少なくとも一方は、
可撓性を有するシート状に形成された樹脂製の樹脂層と、
その樹脂層に鍍金され磁気や電磁波を遮断する遮断性を有する金属層とを備え、
更に、前記識別カードを収納した状態で前記識別カードに記載された情報を外部から視認可能に構成されていることを特徴とする識別カード収納ケース。
【請求項１２】
前記樹脂層は繊維状の樹脂を編んでシート状に構成されていることを特徴とする請求項１１に記載の識別カード収納ケース。
【発明の詳細な説明】
【技術分野】
【０００１】
本発明は、耐久性、可撓性に優れ、磁気カードやＩＣカードに例示される所定の識別情報を磁気的電気的に記憶する識別カードから識別情報が読取られるのを防止することができる識別情報保護シート等に関する。
【背景技術】
【０００２】
従来より、磁気カードやＩＣカードに例示される所定の識別情報を磁気的電気的に記憶する識別カード（Ｉｄｅｎｔｉｆｉｃａｔｉｏｎ  ｃａｒｄ：以下、本願において「ＩＤカード」と称す）が、金融、交通等の各分野で広く利用されている。一方で、磁気や電磁波を媒介にすることでＩＤカードを直接手にすることなくＩＤカードに記憶されている識別情報を不正に読取り、その読取った識別情報を利用して、例えば、他人の銀行口座から現金を引き落とす等の所謂スキミング被害が報告されている。そこで、スキミング被害を防止する対策の一つとして、磁気や電磁波を遮断する遮断性を有する金属製のシート（例えば、アルミニウム箔）でＩＤカードを包囲する方法が知られている。
【０００３】
また、次の特許文献１，２には、ＩＤカードのうち、特に、磁気カードに記憶されている識別情報が外部からの磁気によって破壊されないように磁気を遮断する層を備えた磁気カード収納ケースに関する技術が開示されている。更に、次の特許文献３には、ＩＤカードのうち、特に、非接触型ＩＣカードに記憶されている識別情報が外部からの電磁波によって破壊されないように電磁波を遮断する層を備えた非接触型ＩＣカード封入体に関する技術が開示されている。
【特許文献１】実開昭６１−１６４１８４号公報
【特許文献２】実開昭６２−３８８８４号公報
【特許文献３】特開平１０−２９３８２７号公報
【発明の開示】
【発明が解決しようとする課題】
【０００４】
しかしながら、スキミング被害を防止する対策として、単に、ＩＤカードをアルミニウム箔で包囲する方法では、使用している間にアルミニウム箔が破れてしまう等の不具合が生じ耐久性に劣るという問題点があった。また、ＩＤカードを包囲するにはアルミニウム箔を適度な大きさにカットする必要があり、そのカットする作業が手間であったり、無駄にアルミニウム箔が消費されてしまうという問題点があった。
【０００５】
一方で、上述した特許文献１乃至３に開示されているように、磁気カード収納ケースに磁気を遮断する層を形成したり、非接触型ＩＣカード封入体に電磁波を遮断する層を形成したりすれば、上述した問題は解消されるものの、スキミング被害を防止するためには、ＩＤカードを磁気カード収納ケースに収納して持ち歩かなければならず、財布にＩＤカードを収納して持ち歩く使用者にとってはスキミング被害を防止することはできないという問題点があった。
【０００６】
同様に、非接触型ＩＣカード封入体では、カード発行会社から使用者にＩＤカードを郵送する過程においては、スキミング被害を防止することはできても、非接触型ＩＣカード封入体ごと持ち歩くことは稀であり、通常は、非接触型ＩＣカード封入体から非接触型ＩＣカードを取り出し、その取り出した非接触型ＩＣカードを財布に収納して持ち歩くことが多く、その場合にはスキミング被害を防止することはできないという問題点があった。
【０００７】
本発明は、上述した問題点を解決するためになされたものであり、耐久性、可撓性に優れ、磁気カードやＩＣカードに例示される所定の識別情報を磁気的電気的に記憶する識別カードから識別情報が読取られるのを防止することができる識別情報保護シート等を提供することを目的としている。
【課題を解決するための手段】
【０００８】
この目的を達成するために請求項１記載の識別情報保護シートは、磁気カードやＩＣカードに例示される所定の識別情報を磁気的電気的に記憶する識別カードから磁気や電磁波を媒介として前記識別情報が読取られるのを防止するものであって、可撓性を有するシート状に形成された樹脂製の樹脂層と、その樹脂層に鍍金され磁気や電磁波を遮断する遮断性を有する金属層とを備え、前記樹脂層の幅広面のサイズは前記識別カードを隠蔽可能なサイズに構成されている。
【０００９】
請求項２記載の識別情報保護シートは、請求項１記載の識別情報保護シートにおいて、前記樹脂層の幅広面のサイズは紙幣によって被隠蔽可能なサイズに構成されている。
【００１０】
請求項３記載の識別情報保護シートは、請求項１又は２に記載の識別情報保護シートにおいて、前記樹脂層の表面には所定の情報が印刷されている。
【００１１】
請求項４記載の識別情報保護シートは、請求項１から３のいずれかに記載の識別情報保護シートにおいて、前記金属層は前記樹脂層の幅広面の一方の面にシート状に鍍金されている。
【００１２】
請求項５記載の財布は、請求項１から４のいずれかに記載の識別情報保護シートにおいて、前記樹脂層は繊維状の樹脂を編んでシート状に構成されている。
【００１３】
請求項６記載の財布は、紙幣を出入れ可能に収納する袋状の紙幣収納部と、磁気カードやＩＣカードに例示される所定の識別情報を磁気的電気的に記憶する識別カードを出入れ可能に収納する袋状の識別カード収納部とを備えた財布において、
前記識別カード収納部を隠蔽可能な部位に鍍金され磁気や電磁波を遮断する遮断性を有する金属層を備えている。
【００１４】
請求項７記載の財布は、請求項６に記載の財布において、前記紙幣収納部は、前記紙幣収納部に収納される紙幣の一方の面と対面する第一壁と他方の面と対面する第二壁とを備え、前記識別カード収納部は、前記第一壁または前記第ニ壁を挟んで前記紙幣収納部と重複するように並列配置されており、前記金属層は、前記第一壁と前記第二壁との少なくとも一方に鍍金されている。
【００１５】
請求項８記載の財布は、請求項６又は７に記載の財布において、前記紙幣収納部は長手方向の略中央部において前記第二壁を内側にして略二つ折り可能に構成されており、前記識別カード収納部は前記第二壁を挟んで配設されており、前記金属層は前記第一壁に鍍金されている。
【００１６】
請求項９記載の財布は、請求項６から８のいずれかに記載の財布において、前記金属層は繊維状の樹脂を編んでシート状に形成された可撓性を有する樹脂層に鍍金されている。
【００１７】
請求項１０記載の財布は、請求項９記載の財布において、前記金属層は前記紙幣収納部に収納される紙幣との間に前記樹脂層を挟んだ部位に鍍金されている。
【００１８】
請求項１１記載の識別カード収納ケースは、磁気カードやＩＣカードに例示される所定の識別情報を磁気的電気的に記憶する識別カードの一方の面と対面する第三壁と他方の面と対面する第四壁とを袋状に形成し、前記識別カードを出し入れ可能に収納するものであって、前記第三壁と前記第四壁との少なくとも一方は、可撓性を有するシート状に形成された樹脂製の樹脂層と、その樹脂層に鍍金され磁気や電磁波を遮断する遮断性を有する金属層とを備え、更に、前記識別カードを収納した状態で前記識別カードに記載された情報を外部から視認可能に構成されている。
【００１９】
請求項１２記載の識別カード収納ケースは、請求項１１記載の識別カード収納ケースにおいて、前記樹脂層は繊維状の樹脂を編んでシート状に構成されている。
【発明の効果】
【００２０】
請求項１記載の識別情報保護シートによれば、金属層によって磁気や電磁波が遮断され識別カードに記憶されている識別情報が不正に読み出されるのを防止することができる。また、その金属層は樹脂層を鍍金して構成されているので、識別情報保護シートの耐久性、可撓性を向上させることができる。更に、樹脂層の幅広面のサイズは、識別カードを隠蔽可能なサイズに構成されているので、少なくとも識別カードと重ねた状態で財布に収納することができ、財布に識別カードを収納して持ち歩いたとしても、財布に収納してある識別カードから識別情報が不正に読取られるのを防止することができるという効果がある。また、不正目的ではなく自然界に存在する磁気や電磁波によって識別カードに記憶されている識別情報が破壊されるのを防止することもできる。
【００２１】
請求項２記載の識別情報保護シートによれば、請求項１に記載の識別情報保護シートの奏する効果に加え、樹脂層の幅広面のサイズは、紙幣によって被隠蔽可能なサイズに構成されているので、少なくとも紙幣と重ねた状態で財布に収納することができ、財布に識別カードを収納して持ち歩いたとしても、財布に収納してある識別カードから識別情報が不正に読取られるのを防止することができるという効果がある。
【００２２】
請求項３記載の識別情報保護シートによれば、請求項１又は２に記載の識別情報保護シートの奏する効果に加え、樹脂層の表面には所定の情報が印刷されているので、金属層の表面に所定の情報を印刷する場合に比べて所定の情報を形成するインクを安定して定着させることができるという効果がある。
【００２３】
請求項４記載の識別情報保護シートによれば、請求項１から３のいずれかに記載の識別情報保護シートの奏する効果に加え、金属層は前記樹脂層の幅広面の一方の面にシート状に鍍金されているので、両面に金属層を鍍金する場合に比べて、製造コストを低減できるという効果がある。
【００２４】
請求項５記載の識別情報保護シートによれば、請求項１から４のいずれかに記載の識別情報保護シートの奏する効果に加え、樹脂層は繊維状の樹脂によってシート状に構成されているので、例えば、樹脂層を板状に形成する場合に比べて可撓性をより向上させることができるという効果がある。
【００２５】
請求項６に記載の財布によれば、識別カード収納部を隠蔽可能な部位には磁気や電磁波を遮断する遮断性を有する金属層が鍍金されているので、少なくとも識別カードが識別カード収納部に収納されていれば識別情報が不正に読取られるのを防止することができるという効果がある。また、不正目的ではなく自然界に存在する磁気や電磁波によって識別カードに記憶されている識別情報が破壊されるのを防止することもできる。
【００２６】
請求項７記載の財布によれば、請求項６に記載の財布の奏する効果に加え、識別カード収納部は、第一壁または第ニ壁を挟んで紙幣収納部と重複するように並列配置されており、金属層は第一壁と第二壁との少なくとも一方に形成されているので、識別カードが識別カード収納部に収納されている場合は勿論、識別カードが紙幣収納部に収納されていたとしても識別情報が不正に読取られるのを防止することができるという効果がある。
【００２７】
請求項８記載の財布によれば、請求項６又は７に記載の財布の奏する効果に加え、第二壁を内側にして紙幣収納部を二つに折りたたんだ場合には、識別カードが識別カード収納部に収納されていようと、紙幣収納部に収納されていようと、識別カードは第一壁に形成されている金属層に両面を挟まれた状態になる。よって、識別カードの一方面だけを金属層で隠蔽する場合に比べて、より確実に磁気や電磁波を遮断することができるので、より確実に識別情報が不正に読取られるのを防止することができるという効果がある。
【００２８】
請求項９記載の財布によれば、請求項６から８のいずれかに記載の財布の奏する効果に加え、金属層は繊維状の樹脂を編んでシート状に形成された可撓性を有する樹脂層に鍍金されているので、金属層の耐久性、可撓性をより向上させることができるという効果がある。
【００２９】
請求項１０記載の財布によれば、請求項９に記載の財布の奏する効果に加え、金属層は紙幣収納部に収納される紙幣との間に樹脂層を挟んだ位置に配設されているので、紙幣収納部に紙幣や識別カード等が出入れされる際に、金属層が傷ついて磁気や電磁波を遮断する遮断性が劣化するのを防止することができるという効果がある。
【００３０】
請求項１１記載の識別カード収納ケースによれば、金属層によって磁気や電磁波が遮断され識別カードに記憶されている識別情報が不正に読み出されるのを防止することができる。また、その金属層は樹脂層を鍍金しているので、耐久性、可撓性を向上させることができる。更に、第三壁と第四壁との少なくとも一方は、識別カードを収納した状態で識別カードに記載された情報を外部から視認可能に構成されているので、収納されている状態の識別カードをわざわざ取り出すことなく識別カードの種類を認識することができるという効果がある。不正目的ではなく自然界に存在する磁気や電磁波によって識別カードに記憶されている識別情報が破壊されるのを防止することもできる。
【００３１】
請求項１２記載の識別カード収納ケースによれば、請求項１１記載の識別カード収納ケースの奏する効果に加え、樹脂層は繊維状の樹脂を編んでシート状に構成されているので、金属層の耐久性、可撓性をより向上させることができるという効果がある。
【発明を実施するための最良の形態】
【００３２】
以下、本発明の好ましい実施例について、添付図面を参照して説明する。まず、図１（ａ）及び図１（ｂ）を参照して、本発明の識別情報保護シートに関する第１実施例について説明する。図１（ａ）は第１実施例の識別情報保護シート１Ａを示す平面図であり、図１（ｂ）は図１（ａ）のＩｂ−Ｉｂ断面線における識別情報保護シート１Ａの断面図である。
【００３３】
識別情報保護シート１Ａは、ＩＤカードに記憶されている識別情報が磁気や電磁波を媒介として不正に読取られるのを防止するためのものである。識別情報保護シート１Ａは、平面視略矩形状のシート状に形成されている。そのサイズはＩＤカードを隠蔽可能なサイズであって、且つ、紙幣によって被隠蔽可能なサイズに構成されている。
【００３４】
具体的には、横Ｘ１の長さが略１６０ｍｍ、縦Ｘ２の長さが略７６ｍｍで構成されている。これは平成１６年発行の一万円札と略同じサイズであるので、当然に、識別情報保護シート１Ａは、前記一万円札によって被隠蔽可能なサイズに構成されている。
【００３５】
また、ＩＤカードは、国際標準規格（ＩＳＯ）で規格化されているＩＤカード（ＩＳＯ／ＩＥＣ７８１０）を想定しており、そのＩＤカードのサイズは横８６ｍｍ×縦５４ｍｍで構成されている。よって、当然に、識別情報保護シート１ＡはＩＤカードを隠蔽可能なサイズで構成されている。
【００３６】
尚、識別情報保護シート１Ａのサイズは、ＩＤカードを隠蔽可能なサイズであれば、前記一万円札と同じサイズに限定されるものではなく、社会に流通している紙幣（例えば、千円札、５千円札、外国の紙幣等）のいずれかによって被隠蔽可能なサイズであれば良い。
【００３７】
また、識別情報保護シート１Ａは、図１（ｂ）に示すように、板状の金属層２と板状の樹脂層３とを備え、その樹脂層３の一方の面に金属層３を蒸着して一体的に構成されている。金属層２は、金属製であって磁気や電磁波を遮断する遮断性および可撓性を有するシート状に形成され、具体的には、アルミニウム箔で構成されている。この金属層２によって磁気や電磁波を遮断することができる。
【００３８】
尚、金属層２は、アルミニウム製のものに限定されるものではなく、磁気や電磁波を遮断する遮断性を有するものであれば、Ｆｅ、Ｎｉ、Ｃｏ、Ｚｎ、Ｃｕ、Ａｇ、Ａｕ製のものであっても良い。また、これらの金属製の層を複数積層して構成しても良い。
【００３９】
樹脂層３は、樹脂製であって金属層２よりもよりも可撓性を有するシート状に形成されている。具体的には、ポリエチレンテレフタレートで構成されている。この樹脂層３によって金属層３の耐久性、可撓性が向上し、結果的に、識別情報保護シート１Ａの耐久性、可撓性を向上させることができる。
【００４０】
尚、樹脂層３は、ポリエチレンテレフタレート製のものに限定されるものではなく、ポリエステル、ポリオレフィン、ポリスチレン、ポリアミド、ポリ塩化ビニル、ポリカーボネート、ポリアクリロニトリル、ポリイミド等で構成しても良い。
【００４１】
更に、樹脂層３の表面には、図１（ａ）に示すように、所定の情報として２００５年度のカレンダーが印刷されている。この所定の情報は、例えば、バインダー樹脂に顔料、乾燥剤等が含まれて構成されるインクによって、グラビア印刷、オフセット印刷等の周知の印刷方法によって印刷されている。この所定の情報を樹脂層３の表面に印刷することで金属層３に印刷する場合に比べて安定してインクを定着させることができる。
【００４２】
尚、樹脂層３の表面に印刷される所定の情報としては、２００５年度のカレンダー等のような日付情報に限定されるものではなく、例えば、バス、電車等の時刻情報の他、動物やキャラクター等の図形あるいは模様等であっても良い。
【００４３】
次に、図１（ｃ）を参照して、本発明の識別情報保護シートに関する第２実施例について説明する。図１（ｃ）は図１（ｂ）に相当する図であり、第２実施例の識別情報保護シート１Ｂの断面図である。尚、第１実施例の識別情報保護シート１Ａと同じ構成については、同じ符号を付し、その説明を省略する。
【００４４】
第２実施例の識別情報保護シート１Ｂは、第１実施例の識別情報保護シート１Ａの有する構成に加え、更に、樹脂層３との間に金属層２を挟むように、樹脂層３が固着されている金属層２の反対面側に板状の樹脂層４を蒸着して構成されている。
【００４５】
この樹脂層４は、樹脂層３と同じ樹脂層であり、この樹脂層４によって第２実施例の識別情報保護シート１Ｂの耐久性を第１実施例の識別情報保護シート１Ａより向上させることができる。
【００４６】
次に、図２を参照して、本発明の識別情報保護シートに関する第３実施例について説明する。図２（ａ）は、第３実施例の識別情報保護シート１Ｃを示す平面図であり、図２（ｂ）は図２（ａ）のＩＩｂ−ＩＩｂ断面線における識別情報保護シート１Ｃの断面図であり、図２（ｃ）は、図２（ａ）に示すＺ部分を拡大して示す拡大平面図である。尚、第１実施例の識別情報保護シート１Ａと同じ構成については、同じ符号を付し、その説明を省略する。
【００４７】
第３実施例の識別情報保護シート１Ｃは、第１実施例の識別情報保護シート１Ａと同サイズに構成され、第１実施例の識別情報保護シート１Ａの樹脂層３を樹脂層７に代えて、その樹脂層７に金属層２を蒸着して構成されている。即ち、第１実施例の識別情報保護シート１Ａの樹脂層３は板状に形成されていたのに対して、第３実施例の識別情報保護シート１Ｃの樹脂層７は、繊維状の樹脂を格子状に編んでシート状に構成されている。これにより、第１実施例の識別情報保護シート１Ａよりも可撓性を向上させることができる。
【００４８】
尚、この第３実施例の識別情報保護シート１Ｃについても、第２実施例の識別情報保護シート１Ｂと同様に、樹脂層７との間に金属層２を挟むように、樹脂層７が固着されている金属層２の反対面側に樹脂層７と同じ樹脂層を形成するようにしても良い。かかる場合には、第３実施例の識別情報保護シート１Ｃの耐久性をより向上させることができる。
【００４９】
次に、図３を参照して、本発明の識別情報保護シートに関する第４実施例について説明する。図３（ａ）は、第４実施例の識別情報保護シート１Ｄを示す平面図であり、図３（ｂ）は図３（ａ）に示すＹ部分を拡大して示す拡大平面図であり、図３（ｃ）は図３（ｂ）に示すＩＩＩｃ−ＩＩＩｃ断面線における識別情報保護シート１Ｄの拡大断面図である。尚、第３実施例の識別情報保護シート１Ｃと同じ構成については、同じ符号を付し、その説明を省略する。
【００５０】
この第４実施例の識別情報保護シート１Ｄは、第３実施例の識別情報保護シート１Ｃと同サイズに構成され、第３実施例の識別情報保護シート１Ｃで説明したのと同じ樹脂層７と、その樹脂層７を構成する各繊維状の樹脂の周囲を磁気や電磁波を遮断する遮断性を有する金属で鍍金して構成される金属層８とによって構成されている。金属層８を構成する材料としては、上述した金属層２を構成する材料と同じ材料を使用することができる。
【００５１】
この第４実施例の識別情報保護シート１Ｄは、繊維状の樹脂を格子状に編んでシート状に構成されている樹脂層７に金属を鍍金して、或いは、予め金属が鍍金された繊維状の樹脂を格子状に編んでシート状に構成される。このように識別情報保護シート１Ｄを構成することで、第１〜第３実施例の識別情報保護シート１Ａ等に比べて可撓性をより向上させることができる。
【００５２】
次に、図４を参照して、上述した第１乃至第４実施例の識別情報保護シート１Ａ，１Ｂ，１Ｃ，１Ｄ（以下、「識別情報保護シート１Ａ等」と称す）の使用方法について説明する。図３は識別情報保護シート１Ａ等の使用方法を説明するための図である。
【００５３】
上述した識別情報保護シート１Ａ等は、財布Ｗ１に収納して使用される。財布Ｗ１は、紙幣Ｂや小銭等を収納して持ち運ぶものであり、紙幣Ｂを出入れ可能に収納する袋状の紙幣収納部７と、ＩＤカードＣを出入れ可能に収納する袋状のＩＤカード収納部９，１１と、小銭を収納する小銭収納部１２とを備えている。
【００５４】
紙幣収納部７は、外壁５と内壁６とを袋状に連結して構成されている。外壁５と内壁６とは、例えば、皮、人工皮、合成樹脂、布等によって構成されている。また、紙幣収納部７は内壁６を内側にして長手方向の略２等分した位置で２つ折り可能に構成されている。
【００５５】
ＩＤカード収納部９，１１は、紙幣収納部７との間に内壁６を挟む側に紙幣収納部７と重複するように並列配置されている。ＩＤカード収納部９は、第１区画壁９の周縁を内壁６に連結することで袋状に構成され、ＩＤカード収納部１１は、第２区画壁１０の周縁を第１区画壁１１に連結することで袋状に構成されている。
【００５６】
識別情報保護シート１Ａ等は、紙幣Ｂと一緒に紙幣収納部７に収納される。識別情報保護シート１Ａ等は一万円札と略同じサイズで構成されているので、紙幣収納部７にスムーズに出し入れ可能に収納できる。また、耐久性、可撓性を有しているので、違和感なく２つ折りにして財布Ｗ１を使用することができる。
【００５７】
また、ＩＤカードＣがＩＤカード収納部９，１１に収納されている場合には、そのＩＤカードＣは、識別情報保護シート１Ａ等によって隠蔽される状態になるので、財布Ｗ１にＩＤカードＣを収納した状態で財布Ｗ１を持ち歩いたとしても、ＩＤカードＣに記憶されている識別情報が不正に読取られるのを防止することができる。
【００５８】
また、たとえＩＤカードＣがＩＤカード収納部９，１１ではなく紙幣収納部７に収納されている場合であってもＩＤカードＣを識別情報保護シート１Ａ等によって隠蔽することができ、ＩＤカードＣに記憶されている識別情報が不正に読取られるのを防止することができる。
【００５９】
更に、ＩＤカードＣがＩＤカード収納部９，１１に収納されている状態で財布Ｗ１を２つ折りにした場合、ＩＤカードＣの両面が識別情報保護シート１Ａ等に隠蔽されるので、ＩＤカードＣの片面だけを識別情報保護シート１Ａ等で隠蔽する場合に比べて、より確実に磁気や電磁波が遮断され、より確実にＩＤカードＣに記憶されている識別情報が不正に読取られるのを防止することができる。尚、不正目的ではなく自然界に存在する磁気や電磁波によって識別カードに記憶されている識別情報が破壊されるのを防止することもできる。
【００６０】
次に、図５を参照して、本発明の財布について説明する。図５（ａ）は本発明の財布Ｗ２の斜視図であり、図５（ｂ）は図５（ａ）のＶｂ−Ｖｂ断面線における財布Ｗ２の断面図である。尚、図４で説明した財布Ｗ１と同じ構成については、同じ符号を付し、その説明を省略する。
【００６１】
財布Ｗ２は、図４で説明した財布Ｗ１と略同様に構成されており、更に外壁５の内面に内張１９が連結されている。内張１９は、図２で説明した第３実施例の識別情報保護シート３Ｃと同様に構成されている。具体的には、図５（ｂ）に示すように、紙幣収納部７に収納される紙幣Ｂと対面する側に、図２で説明した第３実施例の識別情報保護シート１Ｃの樹脂層７に相当する樹脂層１７と、その樹脂層１７に蒸着された第３実施例の識別情報保護シート３Ｃの金属層２に相当する金属層１８とを備えている。
【００６２】
このように財布Ｗ２を構成することで、ＩＤカードＣがＩＤカード収納部９，１１に収納されている場合は勿論、ＩＤカードＣが紙幣収納部７に収納されていたとしてもＩＤカードＣは金属層１８によって隠蔽された状態になっているので、ＩＤカードＣを収納した財布を持ち歩いたとしても、金属層１８によって磁気や電磁波が遮断され識別情報が不正に読取られるのを防止することができる。尚、不正目的ではなく自然界に存在する磁気や電磁波によって識別カードに記憶されている識別情報が破壊されるのを防止することもできる。
【００６３】
また、財布Ｗ２を内壁６を内側にして二つ折りにした場合には、ＩＤカードＣがＩＤカード収納部９，１１に収納されていようと、紙幣収納部７に収納されていようと、ＩＤカードＣは金属層１８に両面を挟まれた状態になる。よって、ＩＤカードＣの一方面だけを金属層で隠蔽する場合に比べて、より確実に磁気や電磁波を遮断することができるので、より確実に識別情報が不正に読取られるのを防止することができる。
【００６４】
更に、金属層１８は紙幣収納部７に収納される紙幣Ｂとの間に樹脂層１７を挟んだ位置に配設されているので、紙幣収納部７に紙幣ＢやＩＤカードＣ等が出入れされる際に、金属層１８が傷ついて磁気や電磁波を遮断する遮断性が劣化するのを防止することができる。
【００６５】
尚、上述した説明では、内張１９を図３で説明した第４実施例の識別情報保護シート１Ｄで構成するようにしても良い。かかる場合には、内張１９の可撓性が向上するため、より違和感なく財布を折りたためることができる。
【００６６】
次に、図６を参照して、本発明の識別カード収納ケースとしてのＩＤカード収納ケースＫ１について説明する。図６（ａ）は、ＩＤカード収納ケースＫ１の斜視図であり、図６（ｂ）は図６（ａ）のＶＩｂ−ＶＩｂ断面線におけるＩＤカード収納ケースＫ１の断面図である。
【００６７】
ＩＤカード収納ケースＫ１は、ＩＤカードＣを出入れ可能に収納するＩＤカード収納部２２を備えている。ＩＤカード収納部２２は第一壁２０と第二壁２１とによって袋状に構成されている。
【００６８】
第一壁２０と第二壁２１とは、上述した第１実施例の識別情報保護シート１Ａと同様に構成されている。具体的には、図６（ｂ）に示すように、ＩＤカード収納部２２に収納されるＩＤカードＣと対面する側に、第１実施例の識別情報保護シート１Ａの樹脂層３に相当する樹脂層２０ａ，２１ａと、その樹脂層２０ａ，２１ａに蒸着された第１実施例の識別情報保護シート１Ａの金属層２に相当する金属層２０ｂ，２１ｂとを備えている。
【００６９】
よって、このＩＤカード収納ケースＫ１によれば、金属層２０ｂ，２１ｂによって磁気や電磁波が遮断されＩＤカードＣに記憶されている識別情報が不正に読み出されるのを防止することができる。尚、不正目的ではなく自然界に存在する磁気や電磁波によって識別カードに記憶されている識別情報が破壊されるのを防止することもできる。また、その金属層２０ｂ，２１ｂには樹脂層２０ａ，２１ａが固着されているので、ＩＤカード収納ケースＫ１としての耐久性、可撓性を向上させることができる。
【００７０】
更に、第一壁２０と第二壁２１とは、ＩＤカード収納部２２にＩＤカードＣが収納された状態で、ＩＤカードＣに記載された文字（図５（ａ）の２点鎖線で示す円形参照）が外部から認識可能になるように半透明に構成されている。よって、収納されている状態のＩＤカードＣをわざわざ取り出すことなくＩＤカードＣの種類を認識することができる。
【００７１】
また、金属層２０ｂ，２１ｂはＩＤカード収納部２２に収納されるＩＤカードＣとの間に樹脂層２０ａ，２１ａを挟んだ位置に配設されているので、ＩＤカード収納部２２にＩＤカードＣが出入れされる際に、金属層２０ｂ，２１ｂが傷ついて磁気や電磁波を遮断する遮断性が劣化するのを防止することができる。
【００７２】
尚、第一壁２０、第二壁２１は、樹脂層２０ａ，２１ａとの間に金属層２０ｂ，２１ｂを挟むように樹脂層２０ａ，２１ａが固着されている金属層２０ｂ，２１ｂの反対面側に樹脂層２０ａ，２１ａと同じ樹脂層を形成するようにしても良い。かかる場合には、ＩＤカード収納ケースＫの耐久性をより向上させることができる。
【００７３】
また、必ずしも第一壁２０と第二壁２１との両方に金属層２０ｂ，２１ｂを形成する必要はなく、金属層２０ｂ，２１ｂ少なくとも第一壁２０と第二壁２１との一方に形成しても良い。かかる場合にはカード収納ケースＫ１の製造コストを低減することができる。
【００７４】
また、樹脂層２０ａ，２１ａを上述した第３，第４実施例の識別情報保護シート１Ｃ、１Ｄで説明した樹脂層７と同様に、繊維状の樹脂を格子状に編んで構成するようにしても良い。かかる場合には、カード収納ケースＫ１の可撓性をより向上させることができる。
【００７５】
次に、図７を参照して、本発明の識別カード収納ケースとしての第２実施例のＩＤカード収納ケースＫ２について説明する。図７（ａ）は、ＩＤカード収納ケースＫ２の斜視図であり、図７（ｂ）は、図７（ａ）に示すＸ部分を拡大して示す拡大平面図であり、図７（ｃ）は図７（ａ）のＶＩＩｃ−ＶＩＩｃ断面線におけるＩＤカード収納ケースＫ２の断面図である。
【００７６】
第２実施例のＩＤカード収納ケースＫ２は、第１実施例のＩＤカード収納ケースＫ１と略同様に構成されており、ＩＤカードＣを出入れ可能に収納するＩＤカード収納部３２を備えている。ＩＤカード収納部３２は第一壁３０と第二壁３１とによって袋状に構成されている。第一壁３０と第二壁３１とは、上述した第４実施例の識別情報保護シート１Ｄと同様に構成されている。具体的には、図７（ｂ）に示すように、繊維状の樹脂を格子状に編んでシート状に形成したものを金属で鍍金して構成されている。よって、上述した第４実施例の識別情報保護シート１Ｄが奏する効果と同様な効果を奏することができる。
【００７７】
更に、格子状に編まれたメッシュの大きさは、ＩＤカード収納部３０にＩＤカードＣが収納された状態で、ＩＤカードＣに記載された文字（図７（ａ）の２点鎖線で示す円形参照）が外部から認識可能になるな大きさに構成されている。よって、収納されている状態のＩＤカードＣをわざわざ取り出すことなくＩＤカードＣの種類を認識することができる。
【００７８】
以上実施例に基づき本発明を説明したが、本発明は上記実施例に何ら限定されるものでなく、本発明の主旨を逸脱しない範囲内で種々の改良変形が可能であることは容易に推察できるものである。
【００７９】
例えば、上記第１乃至第４実施例の識別情報保護シート１Ａ、１Ｂ、１Ｃ、１Ｄでは、金属層と樹脂層とを別々に構成する場合について説明したが、例えば、樹脂層に金属粉を含有させて識別情報保護シートを構成するようにしても良い。また、金属粉を含有した樹脂層によって上述した財布Ｗ２の内張１９や、ＩＤカード収納ケースＫの第一壁２０や第二壁２１を構成するようにしても良い。
【００８０】
また、上記実施例では、内張１９を備えた財布Ｗ２について説明したが、この内張１９に代えて内張１９と同じ位置に第１乃至第４実施例の識別情報保護シート１Ａ、１Ｂ、１Ｃ、１Ｄを出入れ可能に収納する袋部を紙幣収納部７とは別に構成していも良い。この場合には、その袋部に第１乃至第４実施例の識別情報保護シート１Ａ、１Ｂ、１Ｃ、１Ｄを収納しておくことでスキミンブ被害を防止することができるとと共に、紙幣Ｂとは別に区別して財布Ｗ２に第１乃至第４実施例の識別情報保護シート１Ａ、１Ｂ、１Ｃ、１Ｄを収納させておくことができる。
【００８１】
また、上記実施例では、二つ折りタイプの財布Ｗ２について説明したが、ＩＤカードＣを収納する部位を隠蔽可能な位置に金属層１８を備えていれば、財布Ｗ２のタイプは二つ折りタイプの財布Ｗ２に限定されることはない。
【００８２】
また、上記実施例では、外壁５の内面に内張１９を配設する場合について説明したが、内張１９を配設する部位としては、かかる部位に限定されるものではなく、ＩＤカードＣを隠蔽可能な部位であれば、外壁５の外面や内壁６の内面、外面であっても良い。更に、第１区画壁８、第２区画壁１０の内面、外面であっても良い。内張１９を第１区画壁９、第２区画壁１１の内面、外面に配設した場合には、必要サイズが小さくなるので財布Ｗ２の製造コストを低減することができる。
【００８３】
また、金属層１８を直接に、外壁５、内壁６、第１区画壁８、第２区画壁１０に形成するように構成しても良い。かかる場合も樹脂層１７が不要となるので、財布Ｗ２の製造コストを低減することができる。
【図面の簡単な説明】
【００８４】
【図１】図１（ａ）は第１実施例の識別情報保護シートを示す平面図であり、図１（ｂ）は図１（ａ）のＩｂ−Ｉｂ断面線における識別情報保護シートの断面図である。図１（ｃ）は図１（ｂ）に相当する図であり、第２実施例の識別情報保護シートの断面図である。
【図２】図２（ａ）は、第３実施例の識別情報保護シートを示す平面図であり、図２（ｂ）は図２（ａ）のＩＩｂ−ＩＩｂ断面線における識別情報保護シートの断面図である。図２（ｃ）は、図２（ａ）に示すＺ部分を拡大して示す拡大平面図である。
【図３】図３（ａ）は、第４実施例の識別情報保護シートを示す平面図であり、図３（ｂ）は図３（ａ）に示すＹ部分を拡大して示す拡大平面図であり、図３（ｃ）は図３（ｂ）に示すＩＩＩｃ−ＩＩＩｃ断面線における第４実施例の識別情報保護シートの拡大断面図である。
【図４】図３は、第１乃至第３実施例の識別情報保護シートの使用方法を説明するための図である。
【図５】図５（ａ）は、本発明の財布の斜視図であり、図５（ｂ）は図５（ａ）のＶｂ−Ｖｂ断面線における財布の断面図である。
【図６】図６（ａ）は、ＩＤカード収納ケースの斜視図であり、図６（ｂ）は図６（ａ）のＶＩｂ−ＶＩｂ断面線におけるＩＤカード収納ケースの断面図である。
【図７】図７（ａ）は、第２実施例のＩＤカード収納ケースの斜視図であり、図７（ｂ）は、図７（ａ）に示すＸ部分を拡大して示す拡大平面図であり、図７（ｃ）は図７（ａ）のＶＩＩｃ−ＶＩＩｃ断面線における第２実施例のＩＤカード収納ケースの断面図である。
【符号の説明】
【００８５】
１Ａ，１Ｂ，１Ｃ，１Ｄ            識別情報保護シート
２，１８，２０ｂ，２１ｂ          金属層
３，４，７，１７，２０ａ，２１ａ  樹脂層
５                                外壁（第一壁または第二壁）
６                                内壁（第一壁または第二壁）
７                                紙幣収納部
９，１１，２２                    ＩＤカード収納部（識別カード収納部）
２０                              第一壁（第三壁または第四壁）
２１                              第二壁（第三壁または第四壁）
Ｗ１，Ｗ２                        財布
Ｋ１，Ｋ２                        ＩＤカード収納ケース（識別カード収納ケース）
Ｂ                                紙幣
Ｃ                                ＩＤカード（識別カード）
【図１】
2006248060.tif 000003
【図２】
2006248060.tif 000004
【図３】
2006248060.tif 000005
【図４】
2006248060.tif 000006
【図５】
2006248060.tif 000007
【図６】
2006248060.tif 000008
【図７】
2006248060.tif 000009